(57)【要約】【課題】患者からのナースコールの呼び出しに対して医療従事者が応答した場合に、医療従事者がどれくらいの時間で患者の居る病室を訪れることができるのかを患者に把握させることができる。【解決手段】無線送受信機設置位置情報とナースコール子機設置位置情報とを記憶させておき、ナースコール子機にて呼び出しが行われた場合に、医療従事者によって携帯される携帯端末を報知させ、それに対して応答した場合に携帯端末から応答信号を送信させる。そして、応答信号を受信した無線送受信機の無線送受信機設置位置情報によって特定される位置と、呼び出しを行ったナースコール子機のナースコール子機設置位置情報によって特定される位置とを強調したマップ情報を、ナースコール子機の近傍に設置されている表示装置に表示するので、患者は、医療従事者がどれくらいの時間で来るのかを推測できる。【選択図】図２
2017195911.tif 000002
【特許請求の範囲】
【請求項１】
患者によって操作される呼出操作部と、この呼出操作部の操作により自装置を他装置と識別するための子機識別情報を含む呼出信号を生成する子機制御部と、この子機制御部により生成された呼出信号を出力する子機インターフェースとを備えるナースコール子機と、
医療従事者によって携行されており、前記呼出信号を受信し、前記ナースコール子機による呼び出しに対して応答したことを示す応答信号を送信する無線送受信部と、前記ナースコール子機による呼び出しを報知する報知部と、前記ナースコール子機による呼び出しに対して応答するために操作される応答操作部と、前記無線送受信部が呼出信号を受信し、その呼出信号が自端末宛てである場合に、前記報知部を動作させ、その後応答操作部が操作されたときに、自端末を他端末と識別するための携帯端末識別情報を含む応答信号を生成して前記無線送受信部により送信する制御部とを備える携帯端末と、
施設内の各所に設置され、前記呼出信号を中継して前記携帯端末へ送信するとともに、前記応答信号を前記携帯端末から受信して、自装置を他装置と識別するための無線送受信機識別情報を付加して出力する無線送受信機と、
前記ナースコール子機から出力された前記呼出信号を入力して前記無線送受信機へ出力するとともに、前記無線送受信機から出力された前記応答信号を入力するインターフェースと、前記ナースコール子機の設置位置を示すナースコール子機設置位置情報およびそのナースコール子機の子機識別情報、前記無線送受信機の設置位置を示す無線送受信機設置位置情報およびその無線送受信機の無線送受信機識別情報をそれぞれ関連付けて記憶するとともに前記施設内のマップ情報を記憶する記憶部と、前記インターフェースが前記ナースコール子機から前記呼出信号を入力すると、前記記憶部を参照し、その呼出信号に含まれる子機識別情報に関連付けて記憶されているナースコール子機設置位置情報を抽出する第一の制御、前記呼出信号に対して前記インターフェースが前記無線送受信機から前記応答信号を入力すると、前記記憶部を参照し、その応答信号に含まれる無線送受信機識別情報に関連付けて記憶されている無線送受信機設置位置情報を抽出する第二の制御、前記記憶部から前記マップ情報を取得し、前記第一の制御および前記第二の制御で得られた位置を強調したマップ情報を生成して前記インターフェースにより出力する第三の制御を行う制御部とを備えるナースコール親機と、
前記ナースコール子機の近傍に設置され、前記インターフェースから前記マップ情報を入力して表示を行う表示装置と、
を備えたことを特徴とするナースコールシステム。
【請求項２】
前記ナースコール親機は、前記ナースコール子機からの呼び出しを報知する親機報知部と、前記報知に対して応答を行うための親機応答操作部とを備え、
前記ナースコール子機からの呼び出しに対して前記親機応答操作部が操作された場合に、前記記憶部から前記マップ情報を取得し、前記第一の制御で得られた位置、および、このナースコール親機の設置位置を強調したマップ情報を生成して前記インターフェースにより出力する制御を行うことを特徴とする請求項１に記載のナースコールシステム。
【発明の詳細な説明】
【技術分野】
【０００１】
本発明は、患者が看護師を呼び出すためのナースコールシステムに関し、特に患者からの呼び出しを看護師が携帯する携帯端末にて応答するナースコールシステムに関する。
【背景技術】
【０００２】
一般に、病院や介護施設などでは、ナースコールシステムが用いられている。ナースコールシステムは、病院の患者が看護師などのスタッフのサポートを必要とする際、または介護施設の被介護者が介護師などのスタッフのサポートを必要とする際に、患者や被介護者（以下、患者と記載する）が呼出操作部を操作することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、医療従事者が常駐するナースステーションに設置されるナースコール親機と、病室や介護室などの各部屋の入口付近に設置される廊下灯と、通話やデータの送受信に関する制御を行う制御機とを備えて構成されている。また、上述した構成に加えて、医療従事者が携帯する携帯端末（例えば、ＰＨＳ（Personal  Handy  phone  System）端末など）とＰＢＸ（Private  Branch  Exchange：電話交換機）とを備えたナースコールシステムも提供されている。また、ＰＨＳに代わり、携帯端末として無線ＬＡＮを利用した無線ＩＰ（Internet Protocol）電話を備えたナースコールシステムも提供されている。ここで、ナースコール子機は、呼出操作部を備えている。
【０００４】
このようなナースコールシステムは、患者がナースコール子機の呼出操作部を操作した場合に、ナースコール子機からナースコール親機へ呼出信号を出力し、呼出信号を入力したナースコール親機にて呼び出しを報知するように構成されている。ここで、ナースコール親機にて呼び出しを報知する場合、ナースコール親機は、スピーカーから報知音を出力させたり、ディスプレイにポップアップ画像を表示させたり、ＬＥＤ（light-emitting  diode）などのランプを点灯／点滅させたりする。
【０００５】
また、このようにナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカーやマイクが設けられているため、患者と医療従事者との間で通話が可能となる。また、携帯端末が使用可能である場合には、医療従事者は、携帯端末を操作して呼び出しに応答することができる。
【０００６】
また、携帯端末を採用したナースコールシステムでは、患者からの呼び出しに対して予め登録しておいた複数の携帯端末を報知させることが行われている。このような同報呼び出しの仕組みは、例えば一人の患者を複数の医療従事者でサポートするチームナーシングを行う場合などに有効である。この場合も、携帯端末にて呼び出しの報知が行われると、これに気付いた携帯端末を携帯する医療従事者が応答する必要がある。そのため、携帯端末には、呼び出しの報知に応答するための応答ボタンが設けられている。呼び出しの報知が行われている場合に、医療従事者が携帯端末の応答ボタンを操作すると、呼び出しの報知が停止し、携帯端末とナースコール子機（またはナースコール子機が設置された病室）との間で通話路が形成される。
【０００７】
ところで、患者はナースコールの呼び出しに対して医療従事者が応答した場合でも、医療従事者が本当に自分の居る病室まで来てくれるか否かがわからず不安になってしまうということがあった。このような問題を解決するために、ナースコール親機での応答が終了してから医療従事者が患者の居る病室に向かっていることを患者に音声で知らせる技術が知られている（例えば、特許文献１など）。
【０００８】
しかしながら、特許文献１に記載の技術では、患者は医療従事者が自分の居る病室に向かっていることは把握できるが、ナースステーションに設置されているナースコール親機にて応答が行われた場合を除いて、患者は医療従事者がどれくらいの時間で自分の居る病室に来るのかを把握することができなかった。
【０００９】
ここで、ナースステーションに設置されているナースコール親機にて応答が行われた場合、患者はナースステーションと自分の居る病室との大凡の距離を把握していれば、医療従事者がどれくらいの時間で自分の居る病室に来るのかを推測することができる。一方、携帯端末にて応答が行われた場合、携帯端末が携帯可能であるため、医療従事者がどこで応答したかがわからないため、患者は医療従事者がどれくらいの時間で自分の居る病室に来るのかを推測することができない。
【先行技術文献】
【特許文献】
【００１０】
【特許文献１】特開２０１３−２４８０６８号公報
【発明の概要】
【発明が解決しようとする課題】
【００１１】
本発明は、上述したような問題を解決するために成されたものであり、患者からのナースコールの呼び出しに対して医療従事者が応答した場合に、医療従事者がどれくらいの時間で患者の居る病室を訪れることができるのかを患者に把握させることができるようにすることを目的とする。
【課題を解決するための手段】
【００１２】
上述した課題を解決するために、本発明では、施設内の各所に設置された無線送受信機に対して無線送受信機設置位置情報を登録しておくとともに、ナースコール子機に対してナースコール子機設置位置情報を登録しておく。また、ナースコール子機からの呼び出しを報知し、その報知に対して応答可能とするとともに、応答時に携帯端末識別情報を含む応答信号を送信する携帯端末を医療従事者に携行させる。そして、ナースコール子機にて呼び出しが行われた場合に携帯端末を報知させ、その報知に対して応答した携帯端末から応答信号を受信した無線送受信機の無線送受信機設置位置情報によって特定される位置と、呼び出しを行ったナースコール子機のナースコール子機設置位置情報によって特定される位置とを強調したマップ情報を、ナースコール子機の近傍に設置されている表示装置に表示するようにしている。
【発明の効果】
【００１３】
上記のように構成した本発明によれば、ナースコール子機からの呼び出しに応答した携帯端末の位置を示すマップ情報がナースコール子機の近傍に設置されている表示装置に表示されるので、その表示を見た患者は、携帯端末にて応答した医療従事者がどれくらいの時間で患者の居る病室を訪れることができるのかを推測することができる。
【図面の簡単な説明】
【００１４】
【図１】本実施形態によるナースコールシステムの構成例を示すブロック図である。
【図２】本実施形態の表示装置に表示される画面の例を示す図である。
【発明を実施するための形態】
【００１５】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍に設置され、患者によって使用される。また、ナースコール子機１は、子機制御部２、呼出操作部３、子機インターフェース４を備えて構成されている。
【００１６】
５は表示装置であり、ナースコール子機の近傍（換言すると、患者のベッドの近傍）に設置され、患者によって閲覧可能に使用される。この表示装置５は、病院などの施設の患者の居るフロアの病棟マップを表示する。
【００１７】
１０はナースコール親機であり、医療従事者が常駐するナースステーションなどに設置される。ここで、ナースコール親機１０は、親機制御部１１、インターフェース１２、記憶部１３、親機報知部１４、親機応答操作部１５を備えて構成されている。また、ナースコール親機１０は、各ナースコール子機１から呼び出しを報知したり、この報知に対する応答を行ったりするために使用される。また、ナースコール親機１０は、ナースコール子機１が設置されている場所および医療従事者が居る場所を特定し、表示装置５に表示されるマップ情報を生成するためにも用いられる。また、ナースコール親機１０は、後述する複数の携帯端末３０のうち、どの携帯端末３０に対してナースコール子機１からの呼び出しを報知させるかを決定するための機能も有する。
【００１８】
２０は無線送受信機であり、各ナースコール子機１と各携帯端末３０とがナースコール親機１０を介して無線通信するための無線基地局である。３０は、各医療従事者により携帯される携帯端末であり、無線送受信機２０との間で無線通信が可能である。ここで、無線送受信機２０は、施設内の各所に設置されていて、携帯端末３０が施設内のどの場所にあっても何れかの無線送受信機２０と通信可能となることが好ましい。また、無線送受信機２０は、この無線送受信機２０を他の無線送受信機２０と識別するための無線送受信機識別情報を記憶している。また、携帯端末３０は、この携帯端末３０を他の携帯端末３０と識別するための携帯端末識別情報を記憶している。また、携帯端末３０は、制御部３１、無線送受信部３２、報知部３３、応答操作部３４を備えて構成されている。
【００１９】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者のサポートを必要とする際に操作する呼出ボタンなどにより構成されている。
【００２０】
子機インターフェース４は、ナースコール子機１と携帯端末３０とを、ナースコール親機１０などを介して接続して通信を行うためのものである。患者は、医療従事者のサポートを必要とする場合に、呼出操作部３を操作する。すると、子機制御部２は呼出信号を生成する。ここで、呼出信号には、このナースコール子機１を他のナースコール子機１と識別するための子機識別情報が含まれる。また、子機識別情報としては、ベッド番号などの情報が用いられる。子機制御部２は、生成した呼出信号を子機インターフェース４によりナースコール親機１０へ出力する。
【００２１】
次に、ナースコール親機１０の各構成要素について説明する。親機制御部１１は、ナースコール親機１０の各構成要素を後述するように制御するためのものであり、ＣＰＵなどにより構成されている。インターフェース１２は、ナースコール親機１０と各ナースコール子機１とを接続して通信を行うためのものである。また、インターフェース１２は、ナースコール親機１０と各表示装置５とを接続して通信を行うとともに、ナースコール親機１０と各無線送受信機２０とを接続して通信を行う。
【００２２】
記憶部１３は、各ナースコール子機１の子機識別情報と、各ナースコール子機１の設置位置を示すナースコール子機設置位置情報とを関連付けて記憶している。また、記憶部１３は、各無線送受信機２０の無線送受信機識別情報と、各無線送受信機２０の設置位置を示す無線送受信機設置位置情報とを関連付けて記憶している。また、記憶部１３は、施設内のマップ情報を記憶している。また、記憶部１３は、ナースコール子機１の子機識別情報と、このナースコール子機１からの呼び出しに対して応答すべき複数の携帯端末３０の携帯端末識別情報とを関連付けて記憶している。
【００２３】
親機報知部１４は、スピーカーやディスプレイ、ランプなどにより構成されており、患者が医療従事者のサポートを要請する呼び出しを行っていることを、音声や表示、点滅などにより報知するためのものである。親機応答操作部１５は、親機報知部１４が報知を行っている際に、ナースステーションに居る医療従事者により操作される。この操作により、親機制御部１１は親機報知部１４の動作を停止させる。また、親機応答操作部１５が操作されると、親機制御部１１は、応答信号を生成して、インターフェース１２によりナースコール子機１へ送信する。
【００２４】
次に、携帯端末３０の各構成要素について説明する。制御部３１は、携帯端末３０の各構成要素を後述するように制御するためのものであり、ＣＰＵなどにより構成されている。無線送受信部３２は、携帯端末３０が無線送受信機２０との間で無線通信を行うためのものである。報知部３３は、スピーカーやディスプレイ、ランプ、振動モータなどにより構成されており、患者が医療従事者のサポートを要請する呼び出しを行っていることを、音声や表示、点滅、振動などにより報知するためのものである。
【００２５】
応答操作部３４は、報知部３３が報知を行っている際に、携帯端末３０を携行している医療従事者によって操作される。この操作により、制御部３１は報知部３３の動作を停止させる。また、応答操作部３４が操作されると、制御部３１は、応答信号を生成して、無線送受信部３２により送信する。ここで、応答信号には、携帯端末識別情報が含まれる。なお、自端末の携帯端末識別情報は、制御部３１などに記憶されている。
【００２６】
（第一の制御）
このように構成されたナースコールシステムでは、ナースコール子機１の呼出操作部３が操作され、インターフェース１２が呼出信号を入力すると、親機制御部１１が記憶部１３を参照し、その呼出信号に含まれる子機識別情報に関連付けて記憶されているナースコール子機設置位置情報を抽出する第一の制御を行うとともに、その呼出信号に含まれる子機識別情報に関連付けて記憶されている携帯端末識別情報を取得し、取得した携帯端末識別情報を呼出信号に付加して無線送受信機２０へ出力する。
【００２７】
各無線送受信機２０は、入力した呼出信号を施設内の各所に対して送信する。この呼出信号を受信した携帯端末３０では、制御部３１が呼出信号に含まれる携帯端末識別情報と自端末の携帯端末識別情報とを比較して、一致するか否かを判定する。両者が一致したと制御部３１にて判断した場合には、制御部３１は、報知部３３を動作させる。この報知部３３の動作に気付いた医療従事者が応答操作部３４を操作すると、制御部３１は、報知部３３の動作を停止させるとともに、自端末の携帯端末識別情報を含む応答信号を生成して無線送受信部３２により送信する。応答信号を受信した無線送受信機２０では、無線送受信機識別情報を応答信号に付加してナースコール親機１０へ出力する。
【００２８】
（第二の制御）
上述した呼出信号に対してインターフェース１２が無線送受信機２０から応答信号を入力すると、親機制御部１１は記憶部１３を参照して、その応答信号に含まれる無線送受信機識別情報に関連付けて記憶されている無線送受信機設置位置情報を抽出する。
【００２９】
（第三の制御）
このように、第一の制御にてナースコール子機設置位置情報を抽出し、第二の制御にて無線送受信機設置位置情報を抽出した場合、親機制御部１１は、記憶部１３からマップ情報を取得し、第一の制御および第二の制御で得られた位置を強調したマップ情報を生成してインターフェース１２により表示装置５へ出力する。例えば、１０７号室でナースコール子機１が操作され、廊下で携帯端末３０が応答した場合、図２に示すようなマップ情報が表示装置５に表示される。このマップ上で１０７号室の位置は斜線により強調表示が成され、携帯端末３０の位置は黒丸にて強調表示が成される。ここで、携帯端末３０の位置は、応答信号を受信した無線送受信機２０の設置位置と同一であり、複数の無線送受信機２０が同じ携帯端末３０から応答信号を受信した場合には電波強度などにより無線送受信機２０が選択される。
【００３０】
以上詳しく説明したように、本実施形態によれば、施設内の各所に設置された無線送受信機２０に対して無線送受信機設置位置情報を関連付けて記憶部１３に記憶しておくとともに、ナースコール子機１に対してナースコール子機設置位置情報を関連付けて記憶部１３に記憶しておく。また、ナースコール子機１からの呼び出しを受けて報知部３３により行われた報知に対して応答操作部３４の操作により応答した場合に、携帯端末識別情報を含む応答信号を送信する携帯端末３０を医療従事者に携帯させるようにしている。そして、携帯端末３０から送信された応答信号を受信した無線送受信機２０の無線送受信機設置位置情報によって特定される位置と、呼び出しを行ったナースコール子機１のナースコール子機設置位置情報によって特定される位置とを強調したマップ情報を、ナースコール子機１の近傍に設置されている表示装置５に表示するようにしている。
【００３１】
これにより、ナースコール子機１からの呼び出しに応答した携帯端末３０の位置を示すマップ情報がナースコール子機１の近傍に設置されている表示装置５に表示されるので、その表示を見た患者は、携帯端末３０にて応答した医療従事者がどれくらいの時間で患者の居る病室を訪れることができるのかを推測することができる。従って、患者からのナースコールの呼び出しに対して医療従事者が応答した場合に、医療従事者がどれくらいの時間で患者の居る病室を訪れることができるのかを患者に把握させることができる
【００３２】
なお、前述した実施形態では、携帯端末３０にて応答した場合にのみマップ情報を表示装置５に表示しているが、これに限定されない。例えば、ナースコール親機１０の親機応答操作部１５にて応答した場合に、マップ情報のナースステーションの位置を強調表示するようにしても良い。
【００３３】
また、前述した実施形態では、携帯端末３０により生成される応答信号を用いて携帯端末３０の位置を特定するようにしているが、これに限定されない。例えば、携帯端末３０とは別の無線機を医療従事者に携帯させ、無線送受信機２０との間で通信を行わせることで無線機の位置を特定するようにしても良い。この場合、携帯端末３０での応答のタイミングと、無線送受信機と無線機との通信タイミングとが一致しないため、無線機の位置を定期的に取得する必要がある。
【００３４】
また、前述した実施形態では、携帯端末３０にて応答した位置のみをマップ情報に表示しているが、これに限定されない。例えば、携帯端末３０の携帯端末識別情報と医療従事者を識別するための医療従事者識別情報（例えば、医療従事者の氏名など）とを記憶部１３に記憶させておいて、応答を行った医療従事者の氏名をマップ情報に表示するようにしても良い。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３６】
１    ナースコール子機
２    子機制御部
３    呼出操作部
４    子機インターフェース
５    表示装置
１０    ナースコール親機
１１    親機制御部
１２    インターフェース
１３    記憶部
１４    親機報知部
１５    親機応答操作部
２０    無線送受信機
３０    携帯端末
３１    制御部
３２    無線送受信部
３３    報知部
３４    応答操作部
【図１】
2017195911.tif 000003
【図２】
2017195911.tif 000004